(57)【特許請求の範囲】
【請求項１】
ブラケティング撮影を行う撮像装置において、
被写体像を撮像する撮像手段と、
ブラケティング撮影での撮影条件を設定する設定手段と、
ブラケティングにおける補正ステップを設定する補正ステップ設定手段と、
前記補正ステップ設定手段によって設定された補正ステップに対応する撮影条件に基づいて所定の機構を制御するための制御値が、前記機構の制限を受けることにより制御不能な制御値になるか否かを判定する判定手段と、
制御値が制御不能な制御値になると判定された場合、前記機構の制限までの制御をするように、前記補正ステップ設定手段によって設定された補正ステップを補正する補正手段と
を備えることを特徴とする撮像装置。
【請求項２】
前記補正手段によって補正ステップが補正された場合、補正ステップが変更された旨を通知する通知手段を備える
ことを特徴とする請求項１に記載の撮像装置。
【請求項３】
ブラケティング撮影された複数の画像を一時的に記憶する記憶手段と、
前記記憶手段に一時的に記憶された複数の画像を所定の画面に表示させる表示制御手段と、
ユーザによる操作を受け付ける操作手段と、
前記表示制御手段により前記画面に表示された複数の画像の中から、前記操作手段により受け付けられた操作に基づいて、画像を指定する指定手段と、
前記指定手段によって指定されていない画像を所定の記録媒体に記録させることなく、前記指定手段によって指定された画像のみを前記記録媒体に記録させる記録制御手段と
を備えることを特徴とする請求項１または２に記載の撮像装置。
【請求項４】
前記撮像手段は、ブラケティング撮影における１枚目の撮影に際し、適正値の撮影条件での撮影をする
ことを特徴とする請求項１乃至３のいずれかに記載の撮像装置。
【請求項５】
前記表示制御手段は、ブラケティング撮影された複数の画像を、撮影条件に応じた露出値の順に表示させる
ことを特徴とする請求項４に記載の撮像装置。
【請求項６】
ブラケティング撮影を行う撮像装置で使用される制御プログラムであって、
ブラケティング撮影での撮影条件を設定する設定ステップと、
ブラケティングにおける補正ステップを設定する補正ステップ設定ステップと、
前記補正ステップ設定ステップの処理によって設定された補正ステップに対応する撮影条件に基づいて所定の機構を制御するための制御値が、前記機構の制限を受けることにより制御不能な制御値になるか否かを判定する判定ステップと、
制御値が制御不能な制御値になると判定された場合、前記機構の制限までの制御をするように、前記補正ステップ設定ステップの処理によって設定された補正ステップを補正する補正ステップと
を備える制御プログラムを記録したことを特徴とする記録媒体。
【発明の詳細な説明】
【０００１】
【発明の属する技術分野】
本発明は、撮像装置および記録媒体に関し、例えば、所定の機構の制限を受ける場合でも、ブラケティング撮影が可能な撮像装置および記録媒体に関する。
【０００２】
【従来の技術】
デジタルカメラ等の撮像装置は、ＣＣＤ(charge coupled device)等の撮像素子によって被写体像を撮像し、撮影結果である画像データをデジタル変換した後、メモリカード等の記録媒体に記録する。記録されたデータに対応する画像は、デジタルカメラに外部接続されたモニタに表示されるか、デジタルカメラに内蔵されている液晶ディスプレイ等のモニタに表示される。
【０００３】
また、上記デジタルカメラには、絞り値等を所定の補正ステップ毎に変化させて複数の画像を撮影するブラケティング撮影が可能なものがある。
【０００４】
【発明が解決しようとする課題】
しかしながら、絞りやシャッタ等のメカニカルな制限のために、ブラケティング撮影を行うことができない場合がある課題があった。
【０００５】
本発明はこのような状況に鑑みてなされたものであり、所定の機構の制限があっても、ブラケティング撮影を行うことができるようにするものである。
【０００９】
【課題を解決するための手段】
請求項１に記載の撮像装置は、被写体像を撮像する撮像手段と、ブラケティング撮影での撮影条件を設定する設定手段と、ブラケティングにおける補正ステップを設定する補正ステップ設定手段と、補正ステップ設定手段によって設定された補正ステップに対応する撮影条件に基づいて所定の機構を制御するための制御値が、機構の制限を受けることにより制御不能な制御値になるか否かを判定する判定手段と、制御値が制御不能な制御値になると判定された場合、機構の制限までの制御をするように、補正ステップ設定手段によって設定された補正ステップを補正する補正手段とを備えることを特徴とする。
【００１５】
請求項６に記載の記録媒体は、ブラケティング撮影での撮影条件を設定する設定ステップと、ブラケティングにおける補正ステップを設定する補正ステップ設定ステップと、補正ステップ設定ステップの処理によって設定された補正ステップに対応する撮影条件に基づいて所定の機構を制御するための制御値が、機構の制限を受けることにより制御不能な制御値になるか否かを判定する判定ステップと、制御値が制御不能な制御値になると判定された場合、機構の制限までの制御をするように、補正ステップ設定ステップの処理によって設定された補正ステップを補正する補正ステップとを備える制御プログラムを記録したことを特徴とする
【００２１】
請求項１に記載の撮像装置においては、撮像手段が、被写体像を撮像し、設定手段が、ブラケティング撮影での撮影条件を設定し、補正ステップ設定手段が、ブラケティングにおける補正ステップを設定し、判定手段が、補正ステップ設定手段によって設定された補正ステップに対応する撮影条件に基づいて所定の機構を制御するための制御値が、機構の制限を受けることにより制御不能な制御値になるか否かを判定し、補正手段が、制御値が制御不能な制御値になると判定された場合、機構の制限までの制御をするように、補正ステップ設定手段によって設定された補正ステップを補正する。
【００２７】
請求項６に記載の記録媒体においては、ブラケティング撮影での撮影条件を設定する設定ステップと、ブラケティングにおける補正ステップを設定する補正ステップ設定ステップと、補正ステップ設定ステップの処理によって設定された補正ステップに対応する撮影条件に基づいて所定の機構を制御するための制御値が、機構の制限を受けることにより制御不能な制御値になるか否かを判定する判定ステップと、制御値が制御不能な制御値になると判定された場合、機構の制限までの制御をするように、補正ステップ設定ステップの処理によって設定された補正ステップを補正する補正ステップとを備える制御プログラムを記録した。
【００３０】
【発明の実施の形態】
図１は、本発明の撮像装置を応用したデジタルカメラ（電子スチルカメラ）（以下では、適宜カメラと略記する）の一実施の形態の正面図を示している。ここでは、後述するレンズ１（図７）が装着されていない場合の例を示している。レンズ１がカメラ本体１００に装着されているか否かは、レンズ１をカメラ本体１００に取り付けるレンズ装着部２７に設けられたＣＰＵ信号接点２８を介して、後述する制御回路１４がレンズ１との間で信号のやりとりを行うことによって検出されるようになされている。レンズ装着部２７の奥には、後述するクイックリターンミラー３が設けられている。絞りダイヤル３９は、絞り値を設定するとき使用される。
【００３１】
図２は、図１に示したカメラの背面図である。カード挿入イジェクトレバー２９は、イジェクトレバーロック釦３０を押しながら、スライドさせることにより、裏蓋（カード挿入部）３１を開閉することができるようになされている。裏蓋３１には、メモリカード確認窓３２が設けられており、メモリカード１３が本体に挿入されているか否かを目視により確認することができるようになされている。
【００３２】
コマンドダイヤル３３は、エンドレスに回転させることができるとともに、クリック動作ができるようになされている。これを単独で使用する場合にはシャッタスピード値を設定することができ、各設定釦と併用する場合には、所定の情報の設定を行うことができるようになされている。ファインダ表示部４６は、ＬＣＤやＬＥＤ(light emitting diode)等により構成され、ファインダ４５（図２）内に設けられ、各種の情報を表示するようになされている。
【００３３】
図３は、図１に示したカメラの平面図である。感度切り換えスイッチ２１は、コマンドダイヤル３３と併用することにより、感度切り換えを行うことができるようになされている。露出補正切り換えスイッチ２３は、コマンドダイヤル３３と併用することにより、露出補正値を設定することができるようになされている。測光モード切り換えスイッチ２２は、コマンドダイヤル３３と併用することにより、測光モードを切り換えることができるようになされている。これで、例えば、マルチパターン測光において、測光する対象を選択し、決定することができる。
【００３４】
レリーズ釦３４は、半押しすると図７を参照して後述するスイッチ１７がオンにされ、制御回路１４によりフォーカス制御が行われる。また、全押しすると、レリーズするようになされている。表示装置（外部ＬＣＤ(liquid crystal display)パネル）１５は、図４に示すように、各種の情報を表示するようになされている。表示領域Ａには圧縮モードが、表示領域Ｂには撮影時の感度、即ち、後述するＣＣＤ９の感度が、表示領域Ｃには、ホワイトバランスの設定モードが、表示領域Ｄには露出モードが、表示領域Ｅには露出補正の有無がそれぞれ表示される。また、表示領域Ｆには測光モードが、表示領域Ｇにはバッテリ残量が、表示領域Ｈには絞り値が、表示領域Ｉにはシャッタ速度が、表示領域Ｊにはメモリカード１３に記録可能な残り枚数が、表示領域Ｋには次回撮影時のコマ番号が、それぞれ表示される。
【００３５】
図５は、図１のカメラの右側面図である。コマンドロック釦３５を押しながら、コマンドダイヤル３３を左右いずれかの方向に回すと、表示装置１５に表示されている設定シャッタスピード値がロックされる。また、コマンドロック釦３５を押しながら、絞りダイヤル３９を左右いずれかの方向に回すと、表示装置１５に表示されている設定絞り値がロックされる。
【００３６】
図５において、蓋４０の中には、図６に示すような３つの釦が設けられており、最上部の釦と真ん中の釦とで一括消去スイッチ３８を構成し、これらの釦を同時に押すことにより、メモリカード１３に記録されている全てのデータを一括して消去することができるようになされている。また、真ん中の釦（コマ消去釦２５Ａ）と最下部の釦（コマ消去釦２５Ｂ）とでコマ消去スイッチ２５を構成し、これらの釦を同時に押すことにより、メモリカード１３に記録されているデータのうち、直前に記録された最後のデータ（コマ）を消去するようになされている。
【００３７】
図７は、図１乃至図６に示した電子スチルカメラの詳細な構成例を示すブロック図である。レンズ１は、被写体からの光束を集束するようになされている。絞り２は、レンズ１からの光束の光量を調節するようになされている。クイックリターンミラー３は、レンズ１及び絞り２を介して入射する被写体からの光束の一部を反射し、多分割ＳＰＤ(silicon photo diode)４に導くとともに、一部を透過するようになされている。多分割ＳＰＤ４は、複数の測光素子より構成され、被写界を複数の領域に分けて測光するようになされている。測光アンプ６は、各測光素子の出力を増幅するようになされている。
【００３８】
絞り駆動回路７は、絞り２の絞り量を変更するようになされている。シャッタ駆動回路８は、シャッタ５の開閉を制御するようになされている。ＣＣＤ(charge coupled device)９は、シャッタ５の開閉に応じて被写体からの光束を受光し、受光量に応じた信号電荷を蓄積するとともに、蓄積した信号電荷を画像データとして出力するようになされている。ＣＣＤ駆動回路１０は、ＣＣＤ９による電荷蓄積および電荷転送を制御するようになされている。信号処理回路１１は、ＣＣＤ９から出力された画像データに対して、ホワイトバランス調整、γ補正、および輪郭補正等の補正処理を施すようになされている。
【００３９】
フレームメモリ５１は、信号処理回路１１において補正処理された画像データを一時的に記憶するようになされている。圧縮伸張回路１２は、フレームメモリ５１からの画像データを、例えばＪＰＥＧ(Joint Photographic Experts Group)等の方式により圧縮し、メモリカード１３に供給するようになされている。また、メモリカード１３より読み出された画像データを伸張し、コネクタ５５に接続された外部のモニタ５６に出力するようになされている。メモリカード１３は、圧縮伸張回路１２より供給された画像データを記憶したり、記憶した画像データを圧縮伸張回路１２に供給するようになされている。
【００４０】
制御回路１４は、絞り駆動回路７、シャッタ駆動回路８、ＣＣＤ駆動回路１０等を制御するとともに、露出演算等の演算処理を行うようになされている。また、モータ２６を制御し、クイックリターンミラー３を回動させ、レンズ１および絞り２を介して入射する光束の外側にクイックリターンミラー３を退避させるようになされている。また、制御回路１４は、オートフォーカス（ＡＦ）モータ４３を制御し、フォーカス制御を行うようになされている。さらに、それは、レンズ１がカメラ本体１００に装着されているか否かを検出するようになされている。
【００４１】
表示装置１５は、図４を参照して上述したように、例えば、ＬＣＤ等により構成され、撮影や再生に必要な各種の情報を表示するようになされており、例えばカメラ本体１００の上部に設けられている。
【００４２】
スイッチ１６は、カメラ各部に電力を供給するか否かを切り換えるようになされている。スイッチ１７は、レリーズ釦３４が半押しされたときオンにされるようになされている。スイッチ１８は、レリーズ釦３４が全押しされたときオンにされるようになされている。
【００４３】
撮影／再生選択スイッチ１９は、撮影を行うのか、再生を行うのかを切り換えるとき操作される。パルス発生器２０は、コマンドダイヤル３３が所定量だけ回転される度に、パルス信号を出力するようになされている。感度切り換えスイッチ２１は、ＣＣＤ９の感度を切り換えるとき操作される。測光モード切り換えスイッチ２２は、測光モードを切り換えるとき操作される。露出補正切り換えスイッチ２３は、露出補正を切り換えるとき操作される。
【００４４】
撮影モード切り換えスイッチ２４は、プログラムモード、絞り優先モード、シャッタ優先モード等の撮影モードを切り換えるとき操作される。図６に示したように、コマ消去釦２５Ａ，２５Ｂの２つの釦はコマ消去スイッチ２５を構成し、メモリカード１３から画像データを消去するとき操作される。
【００４５】
上記ＣＣＤ９、信号処理回路１１、ＣＣＤ駆動回路１０、および圧縮伸張回路１２により、撮像系が構成されている。また、多分割ＳＰＤ４および測光アンプ６により測光系が構成されている。
【００４６】
次に、図８のフローチャートを参照して、ブラケティングの補正ステップを自動的に変えるときの処理手順について説明する。最初に、Ｓモード（シャッタ優先モード）において、ステップＳ１で、（ＥＶ（露出値：Exposure Value）−ＴＶ（時間値（シャッタスピード）：Time Value））の演算結果が値０より小さいか否かが判定される。（ＥＶ−ＴＶ）の演算結果が値０より小さいと判定された場合、ステップＳ４に進み、ＡＶ（開口値：Aperture Value）にＡＶＭＩＮ（絞り開放時のＡＶ最小値）がセットされる。次に、ステップＳ５に進み、所定のアンダフローフラグをセットする。その後、ステップＳ８に進む。
【００４７】
一方、ステップＳ１において、（ＥＶ−ＴＶ）の値が０以上であると判定された場合、ステップＳ２に進み、（ＥＶ−ＴＶ−ＡＶＭＡＸ（最大絞り値））の演算結果が値０より大きいか否かが判定される。（ＥＶ−ＴＶ−ＡＶＭＡＸ）の演算結果が値０より大きいと判定された場合、ステップＳ６に進み、ＡＶにＡＶＭＡＸがセットされる。次に、ステップＳ７において、所定のオーバフローフラグがセットされる。
【００４８】
ステップＳ２において、（ＥＶ−ＴＶ−ＡＶＭＡＸ）の演算結果が０以下であると判定された場合、ステップＳ３に進み、ＡＶに（ＥＶ−ＴＶ）がセットされる。
【００４９】
ステップＳ３，Ｓ７，Ｓ５のうちのいずれかの処理が終了した場合、ステップＳ８に進み、撮影者によりレリーズ釦３４が押され、撮影が行われる。ステップＳ９においては、ステップＳ８において行われた撮影がブラケティング撮影であるか否かが判定される。また、ステップＳ９では、ブラケティング撮影であるかどうかの判定と同時にブラケティング撮影が終了したかどうかも判定されている。ブラケティング撮影が終了したかどうかというのは、設定枚数分撮影された場合、または、設定枚数分撮影が終了しないうちにブラケティングが解除された場合を示す。ブラケティング撮影であると判定された場合、ステップＳ１０に進み、１枚目の撮影が適正に行われたか否かが判定される。即ち、ステップＳ５またはステップＳ７において、アンダフローフラグまたはオーバフローフラグがセットされたか否かが判定される。１枚目の撮影が適正に行われたと判定された場合、ステップＳ１３に進み、ステップＳ８において行われた撮影が＋補正での撮影であるか否かが判定される。最初は適正値で撮影が行われるので、ここでは＋補正ではないと判定され、ステップＳ１４に進む。
【００５０】
ステップＳ１４においては、ＡＶに（ＡＶ＋補正ステップ）がセットされる。一方、ステップＳ１３において、＋補正での撮影であると判定された場合、ステップＳ１５に進み、ＡＶに（ＡＶ−補正ステップ）がセットされる。ステップＳ１４またはステップＳ１５の処理が終了すると、ステップＳ１６に進む。
【００５１】
ステップＳ１６においては、ＡＶの値がＡＶＭＡＸの値より大きいか否かが判定される。即ち、ＡＶ（開口値）がメカニカルな制限を受けているか否かが判定される。ＡＶがＡＶＭＡＸより大きいと判定された場合、ステップＳ１７に進み、オーバフローフラグがセットされ、ステップＳ６に戻り、ステップＳ６以降の処理が繰り返し実行される。一方、ＡＶがＡＶＭＡＸより小さいかまたは等しいと判定された場合、ステップＳ１８に進む。ステップＳ１８においては、ＡＶがＡＶＭＩＮより小さいか否かが判定される。
【００５２】
ＡＶがＡＶＭＩＮより小さいと判定された場合、ステップＳ１９においてアンダフローフラグがセットされた後、ステップＳ４に戻り、ステップＳ４以降の処理が繰り返し実行される。一方、ＡＶがＡＶＭＩＮより大きいかまたは等しいと判定された場合、ステップＳ８に戻り、ステップＳ８以降の処理が繰り返し実行される。
【００５３】
また、ステップＳ９において、ブラケティング撮影ではないと判定された場合、または、ブラケティング撮影が終了したと判定された場合、ステップＳ１１に進み、アンダフローフラグまたはオーバフローフラグがセットされているか否かが判定される。アンダフローフラグまたはオーバフローフラグがセットされていると判定された場合、ステップＳ１２において、ＡＶの設定が自動変更され、そのことを示す表示が行われる。ステップＳ１２における処理が終了した場合、またはステップＳ１１において、アンダフローフラグまたはオーバフローフラグがセットされていないと判定された場合、またはステップＳ１０において、１枚目に撮影された画像が適正ではないと判定された場合、処理を終了する。
【００５４】
以上のように、ブラケティングにおいては、補正ステップは＋側、および−側に等間隔に設定されるか、＋側だけ、−側だけに設定される場合もある。例えば、＋側、−側に補正ステップを「０．５段」と設定した場合、「＋０．５段、適正、−０．５段」というようなブラケティング撮影が行われる。
【００５５】
しかし、露出適正値がメカニカルな制限に近く、＋側または−側の補正が効かない場合がある。そのような場合は露出制御が不能となり、そのうちの１枚は制御可能であるところの１段階前、この場合、適正露出で撮影が行われる。
【００５６】
例えば、下記のような設定で適正露出が得られるとする。
撮影モード          ：シャッタ優先モード（Ｓモード）
シャッタ速度（ＴＶ）：任意
絞り値（適正値）    ：ｆ１．７
補正ステップ        ：１段
開放                ：ｆ１．４
【００５７】
その場合、下記のような制御となる。
＋１段：絞り値＝ｆ１．４以下
適正  ：絞り値＝ｆ１．７
−１段：絞り値＝ｆ２．４
【００５８】
このように、＋１段の絞り値（ｆ１．４以下）は、絞り値制限（ｆ１．４）を越えているので、制御不能となり、絞り値は適正のｆ１．７として制御される。
【００５９】
そこで、上述したように、設定が１段で制御しきれない場合になっても、実際はメカニカルな制限までは制御が可能であるため、制御不能な制御値になった場合、メカニカルな制限までの制御をするように、自動的に補正ステップを変化させ、自動的に変化させたステップに関しては、撮影者に設定ステップを変えたことを通知するための表示を行い、そのデータを記録するようにしている。
【００６０】
次に、図９のフローチャートを参照して、メカニカルな制限を受けるときに、撮像素子のゲインおよび電子シャッタのシャッタスピードを変えることにより、ブラケティングを可能とする方法について説明する。
【００６１】
最初に、Ｓモード時において、ステップＳ２１で、制御回路１４により、ＥＶ−ＴＶが値０より小さいか否かが判定される。（ＥＶ−ＴＶ）の演算結果が値０より小さいと判定された場合、ステップＳ２４に進み、ＡＶの値としてＡＶＭＩＮの値がセットされる。次に、ステップＳ２５において、アンダフローフラグがセットされる。一方、（ＥＶ−ＴＶ）の演算結果が値０以上であると判定された場合、ステップＳ２２に進む。
【００６２】
ステップＳ２２においては、（ＥＶ−ＴＶ−ＡＶＭＡＸ）の演算結果が、値０より大きいか否かが判定される。（ＥＶ−ＴＶ−ＡＶＭＡＸ）の演算結果が値０より大きいと判定された場合、ステップＳ２６に進み、ＡＶの値として、ＡＶＭＡＸの値がセットされる。次に、ステップＳ２７に進み、オーバフローフラグがセットされる。一方、（ＥＶ−ＴＶ−ＡＶＭＡＸ）の演算結果が０以下であると判定された場合、ステップＳ２３に進み、ＡＶの値として、（ＥＶ−ＴＶ）の値がセットされる。
【００６３】
ステップＳ２３、またはステップＳ２５、またはステップＳ２７の処理が終了すると、ステップＳ２８に進む。
【００６４】
ステップＳ２８においては、撮影者によりレリーズ釦３４が押され、撮影が行われる。ステップＳ２９においては、ステップＳ２８において行われた撮影がブラケティング撮影であるか否か、または、ブラケティング撮影が終了したか否かが判定される。ステップＳ２８における撮影がブラケティング撮影であると判定された場合、またはブラケティング撮影続行と判定された場合、ステップＳ３０に進み、１枚目の撮影が適正であるか否かが判定される。１枚目の撮影が適正に行われたと判定された場合、ステップＳ３１に進む。
【００６５】
一方、１枚目の撮影が適正に行われなかったと判定された場合、または、ステップＳ２９において、ブラケティング撮影ではないと判定された場合、またはブラケティング撮影終了と判定された場合、処理を終了する。
【００６６】
ステップＳ３１においては、１枚目のブラケティング撮影は、＋補正か否かが判定される。＋補正ではないと判定された場合、ステップＳ３２においてＡＶの値として（ＡＶ＋補正ステップ）の値がセットされる。一方、１枚目のブラケティング撮影が＋補正であると判定された場合、ステップＳ３３に進み、ＡＶの値として、（ＡＶ−補正ステップ）の値がセットされる。ステップＳ３２またはステップＳ３３の処理が終了すると、ステップＳ３４に進む。
【００６７】
ステップＳ３４においては、ＡＶの値がＡＶＭＡＸより大きいか否かが判定される。ＡＶの値がＡＶＭＡＸより大きいと判定された場合、ステップＳ３６に進み、（ＡＶ−ＡＶＭＡＸ）の演算結果がＣＣＤ９のゲインに換算される。次に、ステップＳ３７において、ＣＣＤ９のゲインがステップＳ３６において換算された段数ｎだけ下げられる。
【００６８】
ステップＳ３４において、ＡＶの値がＡＶＭＡＸより小さいかまたは等しいと判定された場合、ステップＳ３５に進む。ステップＳ３５においては、ＡＶの値がＡＶＭＩＮより小さいか否かが判定される。ＡＶの値がＡＶＭＩＮより小さいと判定された場合、ステップＳ３８に進み、（ＡＶＭＩＮ−ＡＶ）の演算結果がＣＣＤ９のゲインに換算される。次に、ステップＳ３９において、ＣＣＤ９のゲインが、ステップＳ３８において換算されたＣＣＤ９のゲインに対応する段数ｎだけ上げられる。
【００６９】
ステップＳ３５において、ＡＶの値がＡＶＭＩＮより小さいと判定された場合、ステップＳ３９の処理が終了した場合、またはステップＳ３７の処理が終了した場合、ステップＳ２８に戻り、ステップＳ２８以降の処理が繰り返し実行される。
【００７０】
通常、メカニカルな制限があると制御不能となり、設定された値で制御可能な範囲でしか撮影が行われない。即ち、撮影者が意図した設定では撮影が行われないことになる。ところが、上述したように、メカニカルな制限にかかった場合、撮像素子のゲインおよび電子シャッタのシャッタスピードを変えることにより、ブラケティング撮影を可能とすることができる。
【００７１】
次に、図１０のフローチャートを参照して、マニュアル撮影（Ｍモード）時におけるブラケティング撮影の処理手順について説明する。最初に、ステップＳ４１において、（ＥＶ−ＴＶ−ＡＶ）の演算結果が値０より大きいか否かが判定される。（ＥＶ−ＴＶ−ＡＶ）の演算結果が値０より大きいと判定された場合、ステップＳ４３に進み、オーバフローフラグがセットされる。一方、（ＥＶ−ＴＶ−ＡＶ）の演算結果が値０以下であると判定された場合、ステップＳ４２に進む。
【００７２】
ステップＳ４２においては、（ＥＶ−ＴＶ−ＡＶ）の演算結果が値０より小さいか否かが判定される。（ＥＶ−ＴＶ−ＡＶ）の演算結果が値０より小さいと判定された場合、ステップＳ４４に進み、アンダフローフラグがセットされる。
【００７３】
一方、ステップＳ４２において、（ＥＶ−ＴＶ−ＡＶ）の演算結果が値０以上であると判定された場合、ステップＳ４４の処理が終了した場合、または、ステップＳ４３の処理が終了した場合、ステップＳ４５に進み、撮影者によりレリーズ釦３４が押され、撮影が行われる。
【００７４】
次に、ステップＳ４６において、ステップＳ４５において行われた撮影がブラケティング撮影であるか否か、または、ブラケティング撮影終了か否かが判定される。ブラケティング撮影である、またはブラケティング撮影続行と判定された場合、ステップＳ４７に進み、撮影時の補正が＋補正であるか否かが判定される。＋補正であると判定された場合、ステップＳ５０に進み、補正ステップ分だけＣＣＤ９のゲインが上げられる。次に、ステップＳ５１において、ＣＣＤ９のゲインをＥＶ値に換算したものがＥＶ値に加算される。
【００７５】
ステップＳ４７において、撮影時の補正が＋補正ではないと判定された場合、ステップＳ４８に進み、補正ステップ分だけＣＣＤ９のゲインが下げられる。次に、ステップＳ４９に進み、ＣＣＤ９のゲインをＥＶ値に換算したものがＥＶ値から減算される。
【００７６】
ステップＳ４９における処理、またはステップＳ５１における処理が終了すると、ステップＳ４１に戻り、ステップＳ４１以降の処理が繰り返し実行される。
また、ステップＳ４６において、ブラケティング撮影ではない、またはブラケティング撮影終了と判定された場合、処理を終了する。
【００７７】
上記、マニュアル撮影時においては、撮影者が絞り値とシャッタ速度の両方を設定する。一般的に、マニュアル撮影時のブラケティングは、絞り値を固定し、シャッタ速度を変化させて行うが、シャッタ速度を変化させたのでは、撮影者が設定した設定値で撮影されないことになる。そこで、上述したように、マニュアル撮影時、撮影者が設定した絞り値、およびシャッタ速度は変化させず、撮像素子のゲインのみを変化させることにより、ブラケティングを行うようにする。
【００７８】
図１１は、一般的なガンマ特性を表すグラフである。例えば、ブラウン管の発光特性は、約２．２乗のカーブを示すため、ほとんどガンマが１の撮像管の信号が入力されると、黒詰まりの映像となる。これ抑制するためにカメラ側に補償特性を入れたものがガンマ特性であり、ブラウン管の発光特性である２．２乗カーブの逆カーブ、即ち、０．４５乗のカーブをガンマ特性とする。これにより、カメラのガンマ特性とブラウン管のガンマ特性とが合成されたトータルなガンマ特性は１となる。
【００７９】
図１２は、異なるガンマ特性のグラフを表している。図１２（Ｂ）のガンマ特性の方が図１２（Ａ）のガンマ特性より、黒に対する階調が多く存在している。従って、撮影する画像に応じて、ガンマ特性を変えることにより、最適な画像を撮影することができる。
【００８０】
図１３は、撮影する画像に合わせてガンマ特性を変えて撮影する手順を示すフローチャートである。最初に、ステップＳ６１において、制御回路１４は、カメラ各部に電力を供給する。次に、ステップＳ６２において、ブラケティングの方法等の撮影動作の設定を行う。次に、ステップＳ６３において、露出ブラケティング、即ち、露出値を制御してブラケティングを行うか否かが判定される。露出ブラケティングであると判定された場合、ステップＳ６６に進み、補正ステップ等の設定が行われる。
【００８１】
一方、露出ブラケティングではないと判定された場合、ステップＳ６４に進み、ガンマブラケティング、即ち、ガンマ特性を変えてブラケティングを行うか否かが判定される。ガンマブラケティングであると判定された場合、例えば、図１４に示すようないくつかのガンマ特性の中から、所定のガンマ特性を表すガンマテーブルが選択される。この選択は、制御回路１４により、撮影する画像が暗い部分の多い画像であるか、明るい部分の多い画像であるか、あるいは、逆光であるか等により行われるようすることができる。
【００８２】
ステップＳ６５における処理が終了した場合、または、ステップＳ６４において、ガンマブラケティングではないと判定された場合、または、ステップＳ６６における処理が終了した場合、ステップＳ６７に進む。
【００８３】
ステップＳ６７においては、撮影者により、レリーズ釦３４が押され、撮影が行われる。次に、ステップＳ６８に進み、ステップＳ６７において行われた撮影がブラケティング撮影であるか否か、またはブラケティング撮影終了か否かが判定される。ブラケティング撮影ではない、またはブラケティング撮影終了と判定された場合、処理を終了する。一方、ブラケティング撮影である、またはブラケティング撮影続行と判定された場合、ステップＳ６９に進む。
【００８４】
ステップＳ６９においては、ステップＳ６７で行われたブラケティング撮影がガンマブラケティングであるか否かが判定される。ガンマブラケティングであると判定された場合、ステップＳ７０に進み、ガンマテーブルがステップＳ６５において選択されたガンマテーブルに変更される。一方、ガンマブラケティングではないと判定された場合、ステップＳ７１に進み、露光条件が変更される。ステップＳ７０、またはステップＳ７１における処理が終了すると、ステップＳ６７に戻り、ステップＳ６７以降の処理が繰り返し実行される。
【００８５】
通常のブラケティングは、露出制御値、つまり、絞り値とシャッタ速度のいずれかを変化させて行う。また、ガンマ特性を変化させると、所望の階調を得ることができる。ＣＣＤ９のゲインを変化させると画面全体が変化するので、よりよい階調を得るために、ガンマ特性を変化させるようにしている。
【００８６】
ガンマ特性を表すテーブルとしては、折れ線等の様々な種類のガンマ特性のテーブルを用意しておけばよい。また、折れ線のガンマ特性テーブルの折れ点は、１または複数あるものとし、折れ点が複数あるものに関しては、各折れ点を可変とすることにより、所望の階調をより確実に得ることが可能となる。
【００８７】
図１５は、ブラケティング撮影が終了した後、プレビュー画面の中の選択された画像を記録する手順を示すフローチャートである。最初に、ステップＳ８１において、１枚目のブラケティング撮影が行われる。次に、ステップＳ８２において、ステップＳ８１において撮影された１枚目の画像がフレームメモリ５１に記憶される。
【００８８】
次に、ステップＳ８３において、２枚目のブラケティング撮影が行われる。次に、ステップＳ８４において、ステップＳ８３においてブラケティング撮影された２枚目の画像がフレームメモリ５１に記憶される。ステップＳ８５においては、３枚目のブラケティング撮影が行われ、ステップＳ８６において、ステップＳ８５においてブラケティング撮影された３枚目の画像がフレームメモリ５１に記憶される。
【００８９】
次に、ステップＳ８７において、制御回路１４の制御により、ブラケティング撮影された上記３枚分の画像に対応する画像データがモニタ５６に供給され、表示される。このとき、例えば、図１６に示すように、モニタ５６の画面が分割され、分割された各表示領域に３枚の画像が順次表示される。そして、ステップＳ８８において、所定の画像にカーソルが点滅表示される。この例の場合、最初の画像（＋補正で撮影された画像）にカーソルが表示されている。
【００９０】
ステップＳ８９においては、選択スイッチとしてのコマンドダイヤル３３が押されたか否かが判定される。コマンドダイヤル３３が押されたと判定された場合、ステップＳ９０に進み、現在、カーソルが点滅表示されているか否かが判定される。カーソルが点滅表示されていると判定された場合、ステップＳ９１に進み、点滅表示されているカーソルが点灯表示されるように制御される。これにより、カーソルの位置する画像が選択される。一方、カーソルが点滅表示されていないと判定された場合、ステップＳ９２に進み、点灯表示されているカーソルが点滅表示されるように制御される。これにより、カーソルの位置する画像の選択が取り消される。
【００９１】
ステップＳ８９において、コマンドダイヤル３３が押されていないと判定された場合、または、ステップＳ９１における処理が終了した場合、またはステップＳ９２における処理が終了した場合、ステップＳ９３に進む。ステップＳ９３においては、記録釦が押されたか否かが判定される。この記録釦は、例えば、レリーズ釦３４等の既存の釦で代用することもできるし、新たに記録釦を設けるようにすることもできる。ここでは、レリーズ釦３４を記録釦として用いるものとする。
【００９２】
レリーズ釦３４が押されていないと判定された場合、ステップＳ９４に進み、コマンドダイヤル３３が回されたか否かが判定される。コマンドダイヤルが回されたと判定された場合、ステップＳ９５に進み、制御回路１４により次の画像にカーソルが移動するように制御される。従って、コマンドダイヤル３３を所定の回数だけ回すことにより、例えば、図１７に示すように、カーソルを右端の画像（−補正において撮影された画像）に位置づけることができる。
【００９３】
ステップＳ９５における処理が終了した場合、または、ステップＳ９４において、コマンドダイヤル３３が回されていないと判定された場合、ステップＳ８９に戻り、ステップＳ８９以降の処理が繰り返し実行される。
【００９４】
また、ステップＳ９３においてレリーズ釦３４が押された判定された場合、ステップＳ９６に進み、カーソルが点灯している画像がメモリカード１３に記録され、処理を終了する。
【００９５】
このように、カーソルが点滅している状態で、コマンドダイヤル３３を左右に回すことにより、所望の画像の上側にカーソルを位置づけ、コマンドダイヤル３３を押すことにより、その画像を選択することができる。これにより、カーソルは点灯し、その画像が選択されたことが示される。次に、レリーズ釦３４を押すことにより、点灯しているカーソルの下にある画像がメモリカード１３に記録される。
【００９６】
なお、上記実施の形態においては、本発明をレンズが取り外し可能なデジタルカメラに応用する場合について説明したが、その他のデジタルカメラに本発明を適用することも可能である。
【００９７】
また、上記実施の形態においては、絞り値、ガンマ特性を変えてブラケティング撮影を行う場合について説明したが、シャッタスピードを変えてブラケティング撮影を行う場合にも本発明を適用することができる。
【００９８】
さらに、上記実施の形態においては、ブラケティング撮影する画像を３枚としたが、５枚の画像を撮影するようにすることも可能である。あるいは、その他の任意の数の画像を撮影するようにすることも可能である。
【０１０２】
【発明の効果】
請求項１に記載の撮像装置および請求項６に記載の記録媒体によれば、所定の機構の制限があっても、ブラケティング撮影を行うことが可能となる。
【図面の簡単な説明】
【図１】本発明の撮像装置を応用したデジタルカメラの正面図を示す図である。
【図２】本発明の撮像装置を応用したデジタルカメラの背面図を示す図である。
【図３】本発明の撮像装置を応用したデジタルカメラの平面図を示す図である。
【図４】表示装置１５の表示例を示す図である。
【図５】本発明の撮像装置を応用したデジタルカメラの右側面図を示す図である。
【図６】一括消去スイッチおよびコマ消去スイッチを示す図である。
【図７】本発明の撮像装置を応用したデジタルカメラの詳細な構成例を示すブロック図である。
【図８】ブラケティング撮影時の処理手順を説明するフローチャートである。
【図９】ブラケティング撮影時の他の処理手順を説明するフローチャートである。
【図１０】マニュアルモードでのブラケティング撮影時の処理手順を説明するフローチャートである。
【図１１】ガンマ特性の例を示す図である。
【図１２】ガンマ特性の例を示す図である。
【図１３】ガンマ特性を変化させてブラケティングを行うときの処理手順を説明するフローチャートである。
【図１４】ガンマ特性テーブルのガンマ特性曲線の例を示す図である。
【図１５】ブラケティング終了後、プレビュー画面を表示する処理手順を説明するフローチャートである。
【図１６】プレビュー画面の表示例を示す図である。
【図１７】プレビュー画面の表示例を示す図である。
【符号の説明】
１  レンズ
２  絞り
３  クイックリターンミラー
４  多分割ＳＰＤ
５  シャッタ
６  測光アンプ
７  絞り駆動回路
８  シャッタ駆動回路
９  ＣＣＤ
１０  ＣＣＤ駆動回路
１１  信号処理回路
１２  圧縮伸張回路
１３  メモリカード
１４  制御回路
１５  表示装置
１６乃至１８  スイッチ
１９  撮影／再生選択スイッチ
２０  パルス発生器
２１  感度切り換えスイッチ
２２  測光モード切り換えスイッチ
２３  露出補正切り換えスイッチ
２４  撮影モード切り換えスイッチ
２５  コマ消去スイッチ
２５Ａ，２５Ｂ  コマ消去釦
２６  モータ
２７  レンズ装着部
２８  ＣＰＵ信号接点
２９  カード挿入イジェクトレバー
３０  イジェクトレバーロック釦
３１  カード挿入部
３２  メモリカード確認窓
３３  コマンドダイヤル
３４  レリーズ釦
３５  コマンドロック釦
３６  再生端子
３７  デジタル出力端子
３８  一括消去スイッチ
３９  絞りダイヤル
４０  蓋
４２  コネクタ
４３  ＡＦモータ
４５  ファインダ
４６  ファインダ表示部
５１  フレームメモリ
５５  コネクタ
５６  モニタ
【図１】
0004578583.tif 000002
【図２】
0004578583.tif 000003
【図３】
0004578583.tif 000004
【図４】
0004578583.tif 000005
【図５】
0004578583.tif 000006
【図６】
0004578583.tif 000007
【図７】
0004578583.tif 000008
【図８】
0004578583.tif 000009
【図９】
0004578583.tif 000010
【図１０】
0004578583.tif 000011
【図１１】
0004578583.tif 000012
【図１２】
0004578583.tif 000013
【図１３】
0004578583.tif 000014
【図１４】
0004578583.tif 000015
【図１５】
0004578583.tif 000016
【図１６】
0004578583.tif 000017
【図１７】
0004578583.tif 000018